(57)【特許請求の範囲】
【請求項１】
透明絶縁基板の上面に、透明絶縁被膜で覆った一対の透明櫛歯電極を形成し、更にその上に透明絶縁保護板を積層してタッチ面を構成する一方、上記透明絶縁基板の下方に発光部を設け、上記透明櫛歯電極のそれぞれは、接続部を介してリード線に接続された基本構造をなしており、
上記一対の透明櫛歯電極に上記リード線を介して付加されたＣＲ発振回路と、
このＣＲ発振回路の発振周期の変化によって、透明絶縁保護板に対する指の接近あるいは接触を検知するタッチ判定回路と、
上記タッチ判定回路が指の接近あるいは接触を検知する毎に、負荷機器をオン、オフ駆動させる制御回路とを備え、
上記一対の透明櫛歯電極の各々は、
複数の電極指を分岐して形成し、かつ上記接続部を一端に設けた共通部を、それぞれの接続部が、上記透明絶縁基板の対角位置に配置されるようにして対向させて構成しており、
上記透明絶縁保護板に対する、指のいずれの接触位置に対しても、上記櫛歯電極自身による電気抵抗値を同じにする構成にしていることを特徴とする
照光式タッチスイッチ。
【請求項２】
請求項１において、
上記共通部は低抵抗体で製され、かつ上記接続部を構成している照光式タッチスイッチ。
【請求項３】
請求項１あるいは２において、
上記制御回路は、負荷機器のオン、オフ駆動に応じて、上記発光部を点灯から消灯、あるいは、消灯から点灯に制御することを特徴とする照光式タッチスイッチ。
【請求項４】
請求項１〜３のいずれかにおいて、
上記発光部はＥＬ発光層で構成されていることを特徴とする照光式タッチスイッチ。
【発明の詳細な説明】
【０００１】
【発明の属する技術分野】
本発明は、電極間の静電容量の変化によって、指や手の接近や接触を検知する照光式タッチスイッチの改良に関する。
【０００２】
【従来の技術】
従来から、家電機器などの電気機器のスイッチとして照光式のタッチスイッチが種々開発されている。このようなスイッチは、照明が充分にいき渡らない薄暗い空間であっても、スイッチ表面が発光するので、このスイッチ表面に指を触れて、電気機器のオン、オフ操作が迅速かつ確実にできるようになっている。
【０００３】
この種のタッチスイッチには、タッチ検出のために様々な構造を有したものが提案されているが、近時では、タッチ検出用電極の損傷を防ぐためにスイッチ表面に透明絶縁保護板を備え、更に、強度を増すために、この保護板を厚く形成しても、電極間の静電容量の変化によりタッチ検出ができるようにしたスイッチが開発されている。
【０００４】
【発明が解決しようとする課題】
しかしながら、上記した従来の照光式タッチスイッチでは、スイッチ表面のタッチする位置によって、検知感度が異なるという問題があった。
以下に、図５とともにこの問題について説明する。
図５（ａ）は、透明絶縁基板上に形成された電極パターンを示す図である。
【０００５】
ここでは、電極は一対の透明櫛歯電極１００で構成されており、接続部１０１を介してリード線１０２に接続されている。このスイッチでは、リード線１０２にＣＲ発振回路（不図示）を接続し、指が透明絶縁保護板の表面（タッチ面）に接近あるいは接触したことによる電極間の静電容量の変化を発振周期の変化によって検知し、操作があったことを判断する。
【０００６】
ところが、このような電極１００の配置では、指の接触等の位置によって、同図（ｂ）のグラフで示すように検知感度にばらつきが生じてしまう。すなわち、櫛歯電極１００の接続部１０１から離れた位置では、接続部１０１に近い位置に比べて、検知感度が低下してしまう。
なお、図中の３つの曲線は、指の接触等の判断基準となる発振周期の変化量のしきい値を変えて（曲線ア、イ、ウの順でしきい値は大きくなる）、検知感度を計測したことを示すものであり、いずれの場合でも、接続部１０１の位置を基準に数えられる電極のパターン数が増えるにしたがって、スイッチ表面からの距離が短くなければ、指の接近が判断できないようになっている。
【０００７】
この原理を同図（ｃ）の等価回路図を用いて説明する。この図では、櫛歯電極１００がｎ本の電極指で構成されており、接続部Ａに接続した電極の位置αと、接続部Ｂに接続した電極の位置βの上方にある保護板に指が接近あるいは接触することとする。
なお、櫛歯電極１００では、その長さに従って、電気抵抗ｒ（電極指間），ｒａ（接続部Ａから最初の電極指まで），ｒｂ（接続部Ｂから最初の電極指まで），ｒα（電極指における位置αまで），ｒβ（電極指における位置βまで）を有しているので、双方の接続部Ａ，Ｂ間の電圧Ｖ０と、各電極間（αβ間）の容量Ｃ０両端に発生する電圧Ｖ１〜Ｖｎとの関係は、Ｖ０＞Ｖ１＞Ｖ２＞…＞Ｖｎとなる。
【０００８】
したがって、この電極１００では、接続部１０１からの距離が長くなるにつれて、位置α、位置β上方の保護板に指が接近あるいは接触することによる電極間（αβ間）の容量Ｃ０の変化を検出しにくくなり、検出感度が低下する。
本発明は、このような事情に鑑みてなされたものであり、スイッチ表面に対する指の接近あるいは接触の検出感度が均一になるようにした照光式タッチスイッチを提供することを目的とする。
【０００９】
【課題を解決するための手段】
以上のような目的を達成するため、本発明の照光式タッチスイッチは、透明絶縁基板の上面に、透明絶縁被膜で覆った一対の透明櫛歯電極を形成し、更にその上に透明絶縁保護板を積層してタッチ面を構成する一方、上記透明絶縁基板の下方に発光部を設け、上記透明櫛歯電極のそれぞれは、接続部を介してリード線に接続された基本構造をなしており、上記一対の透明櫛歯電極に上記リード線を介して付加されたＣＲ発振回路と、このＣＲ発振回路の発振周期の変化によって、透明絶縁保護板に対する指の接近あるいは接触を検知するタッチ判定回路と、上記タッチ判定回路が指の接近あるいは接触を検知する毎に、負荷機器をオン、オフ駆動させる制御回路とを備え、上記一対の透明櫛歯電極の各々は、複数の電極指を分岐して形成し、かつ上記接続部を一端に設けた共通部を、それぞれの接続部が上記透明絶縁基板の対角位置に配置されるようにして、対向させて構成しており、上記透明絶縁保護板に対する、指のいずれの接触位置に対しても、上記櫛歯電極自身による電気抵抗値を同じにする構成にしている。
【００１０】
請求項１では、一対の透明櫛歯電極は、任意のいずれの接触位置でも、櫛歯電極自身による電気抵抗値が同じになるようにしている。ＣＲ発振回路では、透明絶縁保護板に指を接近あるいは接触させると、電極間の静電容量が減少するので、発振周期が減少する。この変化をタッチ判定回路で検知して、スイッチ操作を判断する。
【００１１】
なお、透明絶縁保護板はアクリルやポリカーボネート等で製され、透明櫛歯電極はインジウムオキサイドや酸化錫で、接続部はアルミニウムや銅の低抵抗体で製されている。また、オン、オフ制御される負荷機器には、空調機器、ＡＶ機器、家電機器、ＯＡ機器などの電気機器がある。
請求項２では、透明櫛歯電極のそれぞれは、共通部を低抵抗体で製し、かつ接続部として構成して、リード線を接続する。これによって、リード線が接続できる位置の範囲が広がる。
【００１２】
請求項３では、制御回路は、負荷機器のオン、オフ駆動に応じて、発光部を点灯から消灯、あるいは、消灯から点灯に制御する。したがって、タッチ操作と、発光部からの発光と、負荷機器の駆動は、このスイッチを使用する各負荷機器毎にその使用態様に応じて定めることが出来る。
請求項４では、発光部には、蛍光体に交流電圧を加えることでＥＬ素子（エレクトロルミネッセンス）を発光させ、面発光体を簡単に構成するＥＬ発光層を用いる。このＥＬ発光層は、透明櫛歯電極を形成した透明絶縁基板と簡単に積層化できる構造になっているが、必ずしも、タッチ検出用の電極等と一体化させる必要はない。また、このような発光部には、面発光ＬＥＤ、冷陰極管を用いたバックライトなども適用できる。
【００１３】
【発明の実施の形態】
以下に、本発明の実施の形態の一例を図面とともに説明する。
図１は、本発明の照光式タッチスイッチの構造の一例を示す断面図と電極パターン図である。
このタッチスイッチＳＷは、（ａ）に示すように、透明絶縁基板１の上面に、透明絶縁被膜３で覆った透明櫛歯電極２（透明電極層）を形成し、更にその上に透明絶縁保護板４を積層する一方、下方に発光部５を有した構造となっており、透明絶縁被膜３と透明絶縁保護板４の間に透明なネームプレート６が差込みできるようになっている。
【００１４】
ここに、発光部５の上方に存在する透明絶縁基板１、透明櫛歯電極２、透明絶縁被膜３、透明絶縁保護板４、ネームプレート６がすべて透明で製されているので、ＥＬ発光層などで構成された発光部５によって、タッチスイッチＳＷの位置を明示すべく、ネームプレート６の文字などを浮かび出させるように表面を発光できる。
【００１５】
また、一対の透明櫛歯電極２（２ａ，２ｂ）はそれぞれ、（ｂ）に示すように、接続部７ａ，７ｂを介してリード線８ａ，８ｂに接続されており、双方の電極２を組み合わせてタッチ面を構成している。
本発明は、この一対の透明櫛歯電極２ａ，２ｂが、透明絶縁保護板４に対し指ｆが接近あるいは接触する位置から、接続部７ａ，７ｂまでの距離の双方の和が、任意の接近あるいは接触位置において、同じになるように形成されているところに特徴を有する。
【００１７】
このように構成することで、櫛歯電極２（２ａ，２ｂ）による電気抵抗値は、どの接触位置でも同じとなり、電圧降下が同じになるので電極２間の容量両端の電圧も同じとなり、タッチ面での検知感度が均一となる（図５参照）。
図２は、照光式タッチスイッチＳＷの内部回路の構成の一例を示したブロック図である。
【００１８】
タッチスイッチＳＷの内部には、ＣＲ発振回路１０が、リード線８（８ａ，８ｂ）を介して透明櫛歯電極２に付加接続されている。透明絶縁保護板４で構成された表面（タッチ面）に指ｆを接近し、あるいは直接触れたときの静電容量の変化は、このＣＲ発振回路１０の発振周期の変化となって表れるので、これをタッチ判定回路１１で検知判別して、指ｆの接近あるいは接触を検知する度に制御回路１２によって、負荷機器１３をオン、オフ駆動させる。
【００１９】
次に、図３とともに、タッチスイッチＳＷの基本動作を説明する。
指ｆを透明絶縁保護板４に接近させず、また直接触れないときには、透明櫛歯電極２間の静電容量は変化せず、ＣＲ発振回路１０の発振周期は、電源投入あるいはリセット時から、Ｐｓに保たれている。
ところがこの状態で、指ｆを透明絶縁保護板４に接近させ、あるいは直接触れたときには、電極２間の電気力線の一部が指ｆを通過し接地されることになるので、透明櫛歯電極２で構成される平面状コンデンサＣの容量が減少し、ＣＲ発振回路１０の時定数が減少して、発振周期は小さくなる。
【００２０】
タッチ判定回路１１は、常時、ＣＲ発振回路１０の発振周期の変化量を、所定のしきい値ΔＰｔｈと比較しているので、発振周期がこのしきい値ΔＰｔｈ以上に変化すれば、指ｆの接近あるいは接触を判別して、制御回路１２を作動する。
なお、ここでは、タッチ判定回路１１では、発振周期が所定のしきい値ΔＰｔｈ以上に変化したときに、すぐにはタッチがされたと判断せず、所定時間ｔ１の間待ってから制御回路１２を作動させるようにしている。また逆に、発振周期の変化量が所定のしきい値ΔＰｔｈより小さくなったとしても、すぐには指ｆがスイッチ面から離れたとは判断せず、所定時間ｔ２の間待つようにしている。このようにすることで、このスイッチＳＷの誤動作を防いでいる。
【００２１】
そして、制御回路１２が作動されれば、負荷機器１３がオン、オフ駆動されるとともに、発光部５に駆動電圧が供給され、点灯から消灯、あるいは、消灯から点灯に制御される。
例えば、スイッチＳＷの表面がタッチされ、タッチ判定回路１１がこれを検知すれば、制御回路１２が負荷機器１３をオンにするとともに、点灯していた発光部５を消灯する。その後、この状態で再度タッチされれば、負荷機器１３をオフにするとともに、発光部５を再び点灯する。
【００２２】
このように、制御回路１２による制御は、タッチ動作と、発光部５の点灯と、負荷機器１３の駆動とを、それぞれの負荷機器１３に合わせて、自由に設定することができる。よって、上記例とは逆に、タッチを検出して負荷機器１３をオンにすると同時に、発光部５を点灯する一方、負荷機器１３をオフにすると同時に、発光部５を消灯することもできる（モニタ表示）。
【００２３】
次に、電極パターンの別構成について説明する。
図４に示した電極パターンは、透明絶縁基板１上の透明櫛歯電極２のそれぞれが、接続部７ａ，７ｂとして構成された共通部２１ａ，２１ｂと、この共通部２１ａ，２１ｂから分岐して形成された複数の電極指２２ａ，２２ｂとで構成されている。つまり、図１に示した櫛歯電極２ａ，２ｂの共通電極部分が、電極指２２ａ，２２ｂよりも電気抵抗の低い抵抗体で製された接続部７ａ，７ｂとして構成される。
【００２４】
これによって、リード線８ａ，８ｂを接続する位置が、共通部２１ａ，２１ｂのいずれの部分でもよくなり、図示するようにリード線８ａ，８ｂを同一方向に接続することもでき、タッチスイッチＳＷの構成が複雑にならなくて済む。
【００２５】
【発明の効果】
以上に説明したように、本発明の請求項１〜３に記載の照光式タッチスイッチによれば、一対の透明櫛歯電極を、透明絶縁保護板に対し、指が接近あるいは接触する位置から接続部までの距離の双方の和が、任意の指の接触位置において、同じになるように形成されているので、いずれの接触位置でも櫛歯電極自身による電気抵抗値を同じにして、スイッチ表面全体において、均一な検知感度が得られる。
【００２６】
請求項２では、透明櫛歯電極のそれぞれにおいて、複数の電極指を接続した共通部分を、電極指よりも電気抵抗の低い抵抗体で製された接続部として構成しているので、リード線の接続を可能とする範囲が広がる。したがって、簡単な構造で均一な検知感度を有したタッチスイッチを構成できる。
請求項３によれば、このスイッチに対するタッチ操作と、発光部からの発光と、負荷機器の駆動を、このスイッチの使用態様に応じて定めることが出来る。
【００２７】
請求項４によれば、ＥＬ発光層を、透明櫛歯電極を形成した透明絶縁基板と積層化する簡単な構造で、照光式タッチスイッチを構成することが出来る。
【図面の簡単な説明】
【図１】（ａ）は本発明に係る照光式タッチスイッチの構造を示す断面図、（ｂ）は電極パターン図である。
【図２】本発明に係る照光式タッチスイッチの内部回路の構成の一例を示すブロック図である。
【図３】本発明に係る照光式タッチスイッチの基本動作を説明する図である。
【図４】本発明に係る照光式タッチスイッチの別の電極パターン図である。
【図５】従来の照光式タッチスイッチによる問題を説明するための図である。
【符号の説明】
ＳＷ・・・照光式タッチスイッチ
１・・・透明絶縁基板
２，２ａ，２ｂ・・・透明櫛歯電極
２１ａ，２１ｂ・・・共通部
２２ａ，２２ｂ・・・電極指
４・・・透明絶縁保護板
５・・・発光部
７ａ，７ｂ・・・接続部
８，８ａ，８ｂ・・・リード線
１０・・・ＣＲ発振回路
１１・・・タッチ判定回路
１２・・・制御回路
１３・・・負荷機器
ｆ・・・指
【図１】
0003541561.tif 000002
【図２】
0003541561.tif 000003
【図３】
0003541561.tif 000004
【図４】
0003541561.tif 000005
【図５】
0003541561.tif 000006